【手続補正書】
【提出日】平成20年6月9日(2008.6.9)
【手続補正１】
【補正対象書類名】明細書
【補正対象項目名】全文
【補正方法】変更
【補正の内容】
【発明の詳細な説明】
【発明の名称】吉野・ブラック＆ホワイト・タイム・マシン・システムと、吉野・グレー・ラビテーション・オブジェクト・システム
【技術分野】
【０００１】  人々は長き間に置いて、時空を飛び回ることを夢見てきた。車や飛行機などで、距離空間での旅行は簡単であっても、時間空間での旅行は簡単ではない。又、エネルギーを使わずに、物体を浮上させるのは容易とはいえない。
【背景技術】
【０００２】吉野は、タイム・マシンを作りたい。吉野は、ラビテーション・オブジェクトを作りたい。
【発明の開示】
【発明が解決しようとする課題】
【０００３】  吉野・タイム・マシンを発明する。吉野・ラビテーション・オブジェクトを発明する。これが、課題である。  そして、約６３０臆年ラウンド後の宇宙の文明の傾向の予測と平和の発展への提案という課題である。吉野宇宙／Ｙｏｓｈｉｎｏ  Ｕｎｉｖｅｒｓｅが宇宙全体を管理していて、４つのパティションの吉野宇宙地区、ヨシノ・ロシア・サイエンス・バード・ピープル、ヨシノ・ジャパン・テクノ・アント・ピープル、ヨシノ・アメリカ（アルフィアン）・フリー・トレード・ピープル、ヨシノ・ユーロ・トラベル・ピープルが発展しながらも直面する危機とそれを予知／アラートすることによって乗り越えるという考案もオプション課題である。
【課題を解決するための手段】
【０００４】  ヨシノ・ロシア・サイエンス・バード・ピープルは、スペース・サイエンス、特に宇宙規模で巨大スペース・ステーションを発展させその吉野宇宙でのリソース・コントロールとエナジー・マネージャーとスター・コントローラーとしての名誉ある地位を確立していく。  ヨシノ・ジャパン・テクノ・アント・ピープルは、情報（インフォメーション）、特に未来予測、未来予知、タイム・サイエンス、タイム・エンジニア、タイム・コミュニケーションに集中して、吉野宇宙の安全を確保して、セキュリティアとして上位の地位を確立していく。（ヨシノ・ジャパン・テクノ・アント・ピープルの管理下のもとのヨシノ・アジア・ロボット・ピープルは生産性を向上して、吉野宇宙でプロダクト・マネージャーとしての地位を確立していく。）  ヨシノ・アメリカ（アルフィアン）・フリー・トレード・ピープルは、自由な発想、創造、発送とトレード、健康生活水準向上を理想としながら、吉野宇宙の通商としての適宜なマネージメントを行い、ライフ・メディカル／ドクターとして大きな地位を確立していく。  ヨシノ・ユーロ・トラベル・ピープルは、政治、経済、インターコミュニケーションを大切にした、吉野宇宙のユニファイヤーとしてパフォーマーの地位を確立していく。（ヨシノ・ユーロ・トラベル・ピープルの管理下のヨシノ・アフリカ・ネイチャー・ピープルは、文化と歴史を大切にして、吉野宇宙のパフォームミュージシャンとしての地位を確立していく。）  吉野の仮定理論によると、タイム・マシンの製作と地球の回転速度と同じで地表に近く、エネルギーを使用しないでも浮上しつづけることのできる重力子／反重力によるラビテーション（浮上）の製作の両立は容易でないと思われる。ここで、負の質量についてＥ＝ｍｃ２であるとして話を進める。つまり、反重力場・生成装置を作ろうとするとき、いくつもの可能性がある。  １）反重力を利用した浮上。      例１−１）重力子（グラビトン）の制御（コントロール）による浮上。      例１−２）重力子の集積（チャージ）／生成（ジェネレーション）による浮上。2007209189.tif 000001
例１−３）重力子の反射（リフレクション）による浮上。      例１−４）重力空間のトランスポーテーションによる浮上／再現。      ちなみに、浮上には  ２）エネルギーを使用しての浮上。質量保存による反作用による浮上方式。モーター、エンジン、イオンエンジンによる浮上。運動量保存の法則による浮上方式。  ３）地球との（質量間の）相対速度を利用したサテライト型の浮上方式。  ４）超伝導、（超）電磁界（場）、太陽風、プラズマを利用した浮上方式。  ５）その他の浮上方式。  がある。  ここで、吉野の仮定理論によると、タイム・マシンと反重力装置の両立は容易でないという理由について説明する。  プラスの電荷に対して、マイナスの電荷があるとしよう。ここで、  陽子（陽電子）に対して、反陽子（電子）が存在するとしよう。陽電子と電子の反応より光子、複数の光子が生成・存在するとしよう。  プラス（正）の質量に対して、マイナス（負）の質量があるとしよう。ここで、  質量子に対しての反質量子が存在するとしよう。ここで、  質量子に対しての反質量子が重力子であるとしよう。質量子は互いに反発するが、反質量子の存在によって、引力（重力）が働くとしよう。  正の質量：  Ｅ＝ｍｃ２  （ｍ＞０  ｉ．ｅ．Ｅ＞０）  そして、ｔ＞０、  負の質量：  Ｅ＝ｍｃ２  （ｍ＜０  ｉ．ｅ．Ｅ＜０）  そして、ｔ＜０  若しくは  ｔ＞０、  の両方について、この方程式が使えると仮定する。すると、正の質量がｔ＞０としてその存在が確認されるとき、  １）もし、負の質量は、ｔ＜０であるならば、負の質量とは、正の質量について、時間を逆に見ただけのものとなる。つまり、実質的には、正の質量が反対の時間に向かって進んでいるだけである。これは、タイム・マシンとして、利用できる。宇宙空間に置いて、ブラック・ホール／ホワイト・ホール、ワームホール、スペース・チューブ、スペース・ブランチ、スペース・レインボー、といった、重力場のモルティプル・ブランチ・パイプの理論的可能性が出てきて、空間場のループに、情報を入れれば、過去から情報が出てくる可能性があるといえる。ブラック・ホールに、情報を入れれば、ホワイト・ホール／過去のブラック・ホールから情報が出てくる可能性があるといえる。質量／重力子をコントロールできれば、このような、空間を人為的に作ることも可能である。  ２）もし、負の質量は、ｔ＞０であるならば、負の質量を集めることによって、反重力子（ラビテーション・オブジェクトのアンティー・グラビティー・ユニット）として利用できる。  ところが、吉野の理論を合わせると、タイム・マシンの数学的実施可能性が明示化される。特願２００５−１６４７２７を参照する。ポジトロンとエレクトロンの反応によりフォトンが生成される。つまり、陽電子と電子が反応すると光子が生成される。陽電子と電子の衝突によって、エネルギー量の等しい２つの光子ができるが、これらの光子の特徴を非対称的に測定することによって、過去、現在、未来でのコミュニケーションをする。複数のシステムも同様に可能である。これらが、吉野・タイム・マシンの基本概念である。それに基づいて、吉野・タイム・マシンが製作できる。ここで、特徴とは、スピンなどといった物理的な特徴である。この際、非対称なストラクチャーを作ることによって、情報の時間差が現れる。吉野・タイム・マシンが、未来予知する。これらは、吉野・ニオン、吉野の方程式と理論、超弦理論、アインシュタインの相対性理論、ＥＲＰの正当性、そのコンビネーションによって、説明できる。特願２００６−１９７４４５参照。  それなら、重力子を利用した反重力装置の製作は、物理的背反により、容易でないと結論されてしまう。しかし、もし、物理的背反による同一目的事項が起きた時は、場合的な解法による解決もしくは、曖昧は解決をすると仮定して、（吉野による、吉野・タイム・マシンを参照）タイム・マシンを第一優先順位（ファースト・プライオリティー）と決める。つまり、浮上は第二優先順位とするが、その選択は、（吉野による、エコロジー・システムを参照）スペース・ステーション、サテライト、超伝導浮上、イオンエンジン航行、プラズマ・ジェット飛行のような現実的なものである必要がある若しくは、他の場をも組み合わせた／利用した組み合わせによる／グレーな／曖昧な浮上システムでもありえる。現実理論とは限らないが、重力子／超重力子／超反重力子が集合される／存在する／創造することができるとするならば、その理論的な両立も可能となる。重力子／超重力子／超2007209189.tif 000002
とも可能であろう。吉野曰く、もし、質量子の周りを、重力子が飛ぶことによって／存在することによって、固有時間のギャップ／変動によって、重力／重力場／場／時空場／変動場／変動時空場／変動時空量子場が生じているとする。吉野曰く、それならば、反重力子の存在は、反重力／反重力場／反場／反時空場／反変動場／反変動時空場／反変動時空量子場／場／変動場／変動時空場／変動時空量子場のような存在がありえる。吉野曰く、プラスの質量、プラスの時間、マイナスの質量、マイナスの時間は、ありえる。吉野・タイム・マシンは存在しえる。吉野曰く、重力子、反重力子は、時間子、反時間子と、関係がある。吉野曰く、時間子の重力子については、反時間子の反重力子の吉野・タイム・マシンということになる。吉野曰く、つまり、重力に反して、浮上／飛行／移動／運動する際は、エネルギー／時間／空間／時空間／速度／加速度／力／場／固有時間のようなものを、使うことになる。吉野曰く、燃料／質量／位置／座標／速度／加速度／運動量／力／エネルギー／熱／2007209189.tif 000003
使った、重力浮上／重力飛行／反重力浮上／反重力飛行も可能であろう。吉野曰く、つまり、エネルギー／燃料エネルギー／核エネルギー／超弦エネルギー／重力場のエネルギー／真空エネルギー／時間エネルギー／空間エネルギー／時空間エネルギー／ワープエネルギー／ワープ空間エネルギー／ワームホールエネルギー／ワームホール空間エネルギーによる運動／移動／浮上／飛行／宇宙飛行が、良い。
【発明の実施する最良の形態】
【０００５】空間にワームホールを製作する。タイム・マシンの最良の形態である。2007209189.tif 000004
吉野曰く、つまり、エネルギー／燃料エネルギー／核エネルギー／超弦エネルギー／真空エネルギー／時間エネルギー／空間エネルギー／時空間エネルギー／ワープエネルギー／ワープ空間エネルギー／ワームホールエネルギー／ワームホール空間エネルギーによる、運動／移動／浮上／飛行／宇宙飛行が、良いということになる。吉野  タイガー型／Ｔ型  タイム・マシンの導入をする。フローティング／フライングのオブジェクト／乗り物の予見／予言／予知／先見の明に使う。吉野・タイガー型／Ｔ型  タイム・マシンを、フローティング／フライングのオブジェクト／乗り物に、乗せる／搭乗する／搭載する／設置する。
【図面の簡単な説明】
【０００６】
【図１】吉野  一虎の思考実験を表した、質量子と重力子の関係を示した図。
【図２】吉野のタイム・トンネルの図。
【図３】吉野の複数のタイム・トンネルの図。
【図４】吉野  タイガー型／Ｔ型  タイム・マシンの設計図。
【図５】吉野  タイガー型／Ｔ型  タイム・マシンの設計図。
【図６】吉野  タイガー型／Ｔ型  タイム・マシンの設計図。吉野  タイガー型／Ｔ型  タイム・マシン・２ｎｄ・ジェネレーション。吉野  クリスタル・ヒカリのザ・クロスのスタイル。吉野  一虎が、吉野  クリスタル・ヒカリが、アメリカ人と日本人の混血であるところから、銘銘。１、２において、フォトンとその特徴の計測・測定をする。３、４から陽電子、電子が、加速器によって、加速されて出てきて、中央で反応して、複数の光子が出てくる。それらを１、２でディテクトとする。ディテクターとして、カウンターの利用も可能。光子の反応にガスで電界分離をして、アバランチを作っても良い。核工学を勉強すると、カウンターについてよくわかる。量子力学的なキャラクター・セパレーションによる判別。電場、磁場、重力場など、フィールドによるスピン・セパレーション等も可能。量子力学の勉強をすると、クウォンタム・フィジックス・スピンについてよくわかる。吉野・ニオン・アナライザー、メモリア、メモリーの搭載もオプションとして可能。吉野の特許を勉強すると、吉野・タイム・マシンについてよくわかる。
【図７】吉野  直線型／回転型／曲率型  タイム・マシンの設計図。静止座標系に対して、静止している座標／物体、運動／移動している座標／物体、直線運動、回転運動、曲線運動、曲率運動している座標／物体では、座標時間、固有時間が異なる。等速直線運動系では、特殊相対性理論によって、直線加速系では、一般相対性理論によって、一般加速系では、吉野相対性理論によって、時空／時空の変化を説明できる。静止座標系に対して、等速回転運動をしている座標／物体は、固有時間のギャップが生じる。センターの時間を基準に取ると、ディスクのようなら／座標回転なら、回転半径が大きくなるにつれた、固有時間のギャップが大きくなる。Ｋａｚｕｔｏｒａ  Ｙｏｓｈｉｎｏ．ｈを、用いれば、説明がつく。Ｋａｚｕｔｏｒａ  Ｙｏｓｈｉｎｏ．ｈは、Ｙｏｓｈｉｏ  Ｕｎｉｖｅｒｓｅ  Ａｓｈｌｅｙ  ｔｈｅ  Ｇｒｅａｔ  Ｗａｒｒｉｏｒに、書いてある。速度／回転速度／曲率速度は、リアル／アンリアル／コンプレックス／ベクトル／テンソル／クウォーターニオン／吉野ニオン／吉野コーディネート／吉野の集合／吉野の郡／吉野  一虎の数であっても良い。速度／回転速度が高速に近いとき、吉野の速度差による固有時間差／ヨシノ・タイム・ギャップによる、タイム・トラベルが、可能になる。直線／回転／曲線／スピン／スピノール／吉野ネットワーク／スピン・ネットワーク／スピノール・ネットワーク／量子ネットワーク／重力ネットワーク／場のネットワークについて、吉野の系／メトリック・テンソル／重力方程式による、できるだけ正確な計算の方が良い。近似なら、回転について、ローレンツの系を用いても良いが、変時空間系／曲率回転系において、光速／速度が、ｃ／一定／座標速度の上限値であるとは、限らないので、吉野の系の方が良いと思う。
【図８】吉野  直線型／回転型／曲率型  質量子、重力子の一般相対性の重力場／スピン場／スピノール場／スピン・ネットワーク場／スピノール・ネットワーク場／場の量子論の、概念／近似の概念の図。質量子の周りを、重力子が飛んでいるという近似概念。吉野曰く、重力子が、飛ぶことによって／そんざいすることによって、質量子と重力子に、固有時間のギャップが、生じる。吉野曰く、これによって、座標系／慣性系／空間系／時間／時空間に、慣性場／重力場が、生じる、としても良い。  吉野曰く、重力子は、高速／速度が速くても良い。  吉野曰く、つまり、物体／プラネット／ブラック・ホール／そのようなところ／付近では、固有時間が、時空間系／変時空間系でありえるので、重力のある／重力場のある／重力の強い／重力場の強い／空間が曲がった／ゆがんだ空間量子場のある／場のある／場のネットワークがある用に観測される。吉野曰く、重力場／量子場／場は、見かけのものでありえる。吉野曰く、ワープ／ワープ空間／ワームホール／ワームホール空間は、固有時間を作る／操作することによって、作る／つなぎ合わせることが可能である。  吉野曰く、固有時間を作ることは、可能なので、モルティプル・ディメンションにおける、余剰次元の重力場の存在は、随分、多くあっても良い／多く存在しても良い。
【図９】吉野  直線型／回転型／曲率型  質量子、重力子の一般相対性の重力場／スピン場／スピノール場／スピン・ネットワーク場／スピノール・ネットワーク場／複数場／場の量子論／複雑系場、概念／近似の概念の図。計算がより、複雑になる。
【図１０】吉野  直線型／回転型／曲率型  質量子、重力子の一般相対性の重力場／スピン場／スピノール場／スピン・ネットワーク場／スピノール・ネットワーク場／複数場／複雑系場／曲率場のスピン重力量子論／ネットワークの理論／場の量子論／相対場の理論／場の理論の、概念／近似の概念の図。吉野は、未来情報がわかる、吉野・ブラック＆ホワイト・タイム・マシン・システムと、吉野・グレー・ラビテーション・オブジェクト・システムが可能であるといっている。吉野の理論／超弦理論／ループ量子理論／超弦ループ量子理論／吉野の相対論的超弦ループ量子理論を用いても良い。吉野は、物質が安定に保たれているのは、固有時間が安定に保たれているためとしている。
2007209189.tif 000005
タインは、物質が安定に保たれているのは、重力によるものだと仮定したと、パウリは言っている。電子論にお2007209189.tif 000006
吉野は、これらの方程式／方程式の変形によって、吉野の、質量子、重力子についての、吉野の相対性理論を、計算／近似／理論化することができる／吉野相対性理論にしても良いとしている。吉野は、これらの方程式／方程式の変形によって、吉野の、質量子、重力子、反質量子、反重力子の理論を、計算／近似／理論化しても良い可能性があるといっている。参照：特願２００５−１６４７２７  吉野：吉野・タイム・マシン・システム：２００５年５月９日、パウリ：相対性理論：１９２１年、ボーア：量子理論、アインシュタイン：相対性理論、ファインマン、レイトン、サンズ：量子力学：１９７９年、ワインバーグ：場の量子論：２０００年、特願２００５−１６６０９７  吉野：人工知能システムと表示システム：２００５年５月１１日、原：銀河宇宙の不思議：２００４年１１月５日  吉野：Ｙｏｓｈｉｎｏ  Ｕｎｉｖｅｒｓｅ：Ｋａｚｕｔｏｒａ  Ｙｏｓｈｉｎｏ．ｈ：Ａｓｈｌｅｙ  ｔｈｅ  Ｇｒｅａｔ  Ｗａｒｒｉｏｒ：２００７年〜２００８年、ランドール：Ｎｅｗｔｏｎ：２００８年１月：ｐ１４〜ｐ５３、野沢：図解・相対論入門：２００４年８月１日、佐藤：時空の起源にせまる宇宙論：２００５年６月１８日、特願２００５−２５４０７０  吉野：ハイ・イフィシエンシー・エコロジー・システム：２００５年５月３１日、特願２００６−２３６６５１  吉野：ニュークリア・リアクター・システム：２００６年８月４日、黒田：Ｎｅｗｔｏｎ：２００８年３月：ｐ１２〜４５、
【手続補正２】
【補正対象書類名】図面
【補正対象項目名】図１
【補正方法】変更
【補正の内容】
【図１】
2007209189.tif 000007
【手続補正３】
【補正対象書類名】図面
【補正対象項目名】図２
【補正方法】変更
【補正の内容】
【図２】
2007209189.tif 000008
【手続補正４】
【補正対象書類名】図面
【補正対象項目名】図３
【補正方法】変更
【補正の内容】
【図３】
2007209189.tif 000009
【手続補正５】
【補正対象書類名】図面
【補正対象項目名】図４
【補正方法】変更
【補正の内容】
【図４】
2007209189.tif 000010
【手続補正６】
【補正対象書類名】図面
【補正対象項目名】図５
【補正方法】変更
【補正の内容】
【図５】
2007209189.tif 000011
【手続補正７】
【補正対象書類名】図面
【補正対象項目名】図６
【補正方法】変更
【補正の内容】
【図６】
2007209189.tif 000012
【手続補正８】
【補正対象書類名】図面
【補正対象項目名】図７
【補正方法】追加
【補正の内容】
【図７】
2007209189.tif 000013
【手続補正９】
【補正対象書類名】図面
【補正対象項目名】図８
【補正方法】追加
【補正の内容】
【図８】
2007209189.tif 000014
【手続補正１０】
【補正対象書類名】図面
【補正対象項目名】図９
【補正方法】追加
【補正の内容】
【図９】
2007209189.tif 000015
【手続補正１１】
【補正対象書類名】図面
【補正対象項目名】図１０
【補正方法】追加
【補正の内容】
【図１０】
2007209189.tif 000016
【手続補正１２】
【補正対象書類名】特許請求の範囲
【補正対象項目名】請求項１
【補正方法】変更
【補正の内容】
【請求項１】
特願２００５−１６４７２７の特許に、反さないような、明細書、図面、要約書、請求の範囲によって、示されたこと、示されたもの、を特徴とする、システム。